(57)【要約】【課題】ダイヤフラムの摩耗を抑制することの可能な空気ばねを提供する。【解決手段】固定リング６６の径方向外側には、抑え部材７２が取り付けられている。抑え部材７２は、円筒状とされ、チャンバ部材２２に外挿され、固定リング６６が内周面に圧入されている。抑え部材７２の外筒部材６０側の端面には、外筒部材６０と対向する抑え面７２Ａが構成されている。抑え面７２Ａは、固定リング６６の下面と並んで略面一となる位置に配置されている。抑え面７２Ａの外周端は、外筒部材６０の外周よりも径方向外側に配置されている。【選択図】図３
2011080549.tif 000002
【特許請求の範囲】
【請求項１】
互いに相対移動する第１移動体及び第２移動体の間に配置される空気ばねであって、
前記第１移動体側に取り付けられるチャンバ部材と、
前記第２移動体側に取り付けられるピストン部材と、
筒状とされ、一端部が前記チャンバ部材に連結されると共に他端部が内外反転状態となるように筒内に折り返されて前記ピストン部材に連結されたダイヤフラムと、
前記チャンバ部材、前記ピストン部材、及び、前記ダイヤフラムに囲まれて構成されたチャンバ室と、
筒状とされ、前記ダイヤフラムの外周に取り付けられると共に、前記チャンバ部材と離間して配置された外筒部材と、
環状とされ、前記チャンバ部材との間に前記ダイヤフラムの一端部を挟持して前記ダイヤフラムの一端部を前記チャンバ部材に固定する固定リングと、
前記固定リングの径方向外側に設けられ、前記外筒部材側に前記外筒部材と向き合う抑え面の構成された抑え部材と、
を備えた、空気ばね。
【請求項２】
前記抑え面は、前記固定リングの外側全周に形成されていること、を特徴とする請求項１に記載の空気ばね。
【請求項３】
前記抑え部材は筒状とされ、筒端面により前記抑え面が構成されていること、を特徴とする請求項２に記載の空気ばね。
【請求項４】
前記抑え部材は筒状とされ、前記チャンバ部材及び前記固定リングの少なくとも一方が前記抑え部材の筒内に圧入固定されていること、を特徴とする請求項２または請求項３に記載の空気ばね。
【発明の詳細な説明】
【技術分野】
【０００１】
本発明は、空気圧を利用して入力荷重に対して弾性的な反力を発生させ、この反力により入力荷重を支持する空気ばねに関する。
【背景技術】
【０００２】
車両のサスペンション等に用いられる空気ばねとしては、例えば、特許文献１に記載されているものが知られている。この特許文献１記載の空気ばねは、チャンバと、ピストンと、ダイヤフラムを備えている。ダイヤフラムは、略円筒状に形成されると共に中間部が内外反転状態とされ、一端部及び他端部がそれぞれチャンバ及びピストンに連結され、内部にチャンバ室が形成されており、円筒状の外筒によって覆われている。
【０００３】
上記構成の空気ばねは、車両におけるサスペンション等に適用される。車両に適用する場合、チャンバが車体側に固定されると共に、ピストンがサスペンションアームに連結固定され、車体とサスペンションアームとの間にダイヤフラムが揺動方向に沿って伸縮可能な状態で配置される。これにより、路面側からの荷重によりサスペンションアームが車体側（バウンド方向）へ揺動すると、ダイヤフラム内のチャンバ室内の空気が圧縮されて空気圧が上昇すると共に、この空気圧によりサスペンションアームを介して路面側から入力する荷重を支持する。このとき、チャンバ室内に充填する空気の圧力を調整することにより、サスペンションアームの位置を調整することが可能になる。
【０００４】
ところで、特許文献１の空気ばねは、外筒を備えており、外筒の内壁がダイヤフラムの外周に固定されている。したがって、外筒がチャンバに固定されている場合と比較して、関節部が構成されることから、外筒がチャンバに対して移動可能となっており、外筒とピストンとが干渉し合ったり、ダイヤフラムの内外反転部分が、外筒とピストンの間に挟まれて極端に圧縮されたりすることが抑制されている。一方で、当該構成の空気ばねでは、チャンバ内の空気圧が高くなると、チャンバと外筒の間（関節部）からダイヤフラムが外筒よりも径方向外側へ膨らみ、ダイヤフラムがチャンバ外側にダイヤフラムを固定するための固定リングと摺接されて摩耗してしまうということが考えられる。
【先行技術文献】
【特許文献】
【０００５】
【特許文献１】特表２００３−５１１６３９号公報
【発明の概要】
【発明が解決しようとする課題】
【０００６】
本発明は、上記事実を考慮してなされたものであり、ダイヤフラムの摩耗を抑制することの可能な空気ばねを提供することを目的とする。
【課題を解決するための手段】
【０００７】
上記の目的を達成するため、本発明の第１態様に係る空気ばねは、互いに相対移動する第１移動体及び第２移動体の間に配置される空気ばねであって、前記第１移動体側に取り付けられるチャンバ部材と、前記第２移動体側に取り付けられるピストン部材と、筒状とされ、一端部が前記チャンバ部材に連結されると共に他端部が内外反転状態となるように筒内に折り返されて前記ピストン部材に連結されたダイヤフラムと、前記チャンバ部材、前記ピストン部材、及び、前記ダイヤフラムに囲まれて構成されたチャンバ室と、筒状とされ、前記ダイヤフラムの外周に取り付けられると共に、前記チャンバ部材と離間して配置された外筒部材と、環状とされ、前記チャンバ部材との間に前記ダイヤフラムの一端部を挟持して前記ダイヤフラムの一端部を前記チャンバ部材に固定する固定リングと、前記固定リングの径方向外側に設けられ、前記外筒部材側に前記外筒部材と向き合う抑え面の構成された抑え部材と、を備えている。
【０００８】
上記構成の空気ばねでは、ダイヤフラムの一端部がチャンバ部材に連結され、他端部が内外反転状態となるように折り返されてピストン部材に連結されている。そして、ダイヤフラムの外周に、チャンバ部材と離間した状態で外筒部材が取り付けられている。ダイヤフラムの外周は、外筒部材で覆われているが、外筒部材とチャンバとが離間されているので、チャンバ室内の空気圧が高くなると、チャンバ部材と外筒部材との間からダイヤフラムが外側へ膨出する。
【０００９】
このとき、ダイヤフラムの膨出部分のチャンバ部材側は、固定リングに押し当てられるが、固定リングの径方向外側には、外筒部材と向き合う抑え面の構成された抑え部材が設けられているので、ダイヤフラムは、この抑え面に押し当てられる。したがって、固定リングの端面のみに押し当てられる場合と比較して、広い面積に当接され、固定リングの先端面と外周面との間の角に摺接されることが防止され、ダイヤフラムの摩耗を抑制することができる。
【００１０】
本発明の第２の態様に係る空気ばねは、前記抑え面は、前記固定リングの外側全周に形成されていること、を特徴とする。
【００１１】
このように、抑え面を固定リングの外側全周に形成することにより、膨出したダイヤフラムを確実に抑え面に当てることができる。
【００１２】
本発明の第３の態様に係る空気ばねは、前記抑え部材が筒状とされ、筒端面により前記抑え面が構成されていること、を特徴とする。
【００１３】
このように、筒端面により、抑え面を容易に構成することができる。
【００１４】
本発明の第４の態様に係る空気ばねは、前記抑え部材が筒状とされ、前記チャンバ部材及び前記固定リングの少なくとも一方が前記抑え部材の筒内に圧入固定されていること、を特徴とする。
【００１５】
このように、チャンバ部材及び固定リングの少なくとも一方を抑え部材の筒内に圧入固定することにより、容易に抑え部材を固定リングの外側に設置することができる。
【発明の効果】
【００１６】
以上説明したように本発明に係る空気ばねによれば、抑え部材を設けることによりダイヤフラムの摩耗を抑制することができる。
【図面の簡単な説明】
【００１７】
【図１】本発明の実施形態に係る空気ばねが適用されたサスペンションの構成を示す側面断面図であり、空気ばねの内圧が充填されていない状態を示している。
【図２】本発明の実施形態に係る空気ばねが適用されたサスペンションの構成を示す側面断面図であり、空気ばねの内圧が充填されており、サスペンションアームが中立位置にある状態を示している。
【図３】本発明の実施形態に係る空気ばねのダイヤフラムの取付部分の拡大断面図である。
【図４】サスペンションアームがバウンド方向へ揺動された時の、本発明の実施形態に係る空気ばねの側面断面図である。
【図５】本発明の実施形態に係る空気ばねの抑え部材の変形例を示す拡大断面図である。
【図６】本発明の実施形態に係る空気ばねの抑え部材の他の変形例を示す拡大断面図である。
【図７】本発明の第２実施形態に係る空気ばねが適用されたサスペンションの構成を示す側面断面図であり、空気ばねの内圧が充填されており、サスペンションアームが中立位置にある状態を示している。
【図８】本発明の第２実施形態に係る空気ばねのダイヤフラムの取付部分の拡大断面図である。
【図９】本発明の第２実施形態に係る空気ばねの変形例に係るサスペンションの構成を示す側面断面図である。
【図１０】本発明の第２実施形態に係る空気ばねの他の変形例に係るサスペンションの構成を示す側面断面図である。
【図１１】本発明の第２実施形態に係る空気ばねの他の変形例に係るサスペンションの構成を示す側面断面図である。
【発明を実施するための形態】
【００１８】
以下、本発明の実施形態に係る空気ばねについて図面を参照して説明する。
【００１９】
図１、図２には、本発明の実施形態に係る空気ばね１０が適用されたサスペンションが模式的に示されている。本実施形態の空気ばね１０は、第１移動体としての車体と第２移動体としてのサスペンションアームとの間に配置されるものである。図１は空気ばね１０に内圧が充填されていない状態であり、図２は空気ばね１０に内圧が充填されている状態である。
【００２０】
図１及び図２に示されるように、サスペンション１２は、全体としてドラム状に形成された空気ばね１０、及び、梁状に形成されたサスペンションアーム１４を備えている。サスペンションアーム１４には、その長手方向に沿った基端部及び先端部にそれぞれ円筒状のブッシュホルダ１６、１８が配置されている。図１、２では、サスペンションアーム１４は、中立位置に配置されている。
【００２１】
サスペンションアーム１４は、基端側のブッシュホルダ１６がゴムブッシュ（図示省略）を介して車体１５側に揺動可能に連結され、先端側のブッシュホルダ１８は、ゴムブッシュを介してホイールハブ（図示省略）側に回転可能に連結される。これにより、サスペンションアーム１４は、基端側のブッシュホルダ１６を中心として車体１５により上下方向に沿って揺動可能に支持される。
【００２２】
空気ばね１０は、チャンバ部材２２、ピストン部材２４、ダイヤフラム３２、外筒部材６０、及び抑え部材７２を備えている。
【００２３】
ピストン部材２４は、サスペンションアーム１４側に配置され、チャンバ部材２２は、車体１５側に配置されている。
【００２４】
ピストン部材２４は、略有底円筒状に形成され、その上端部に下端側に対して内外径が縮径された円筒状の被連結部２８が一体的に形成されている。ピストン部材２４は、底板下面側でサスペンションアーム１４に固定されている。
【００２５】
チャンバ部材２２は、有底円筒状とされ底部２２Ａが上面になるようにして車体１５に固定されている。チャンバ部材２２には、底部２２Ａの外周端部から下方へ突出するように円筒状の被連結部２２Ｂが屈曲形成されている。
【００２６】
ダイヤフラム３２は、薄肉円筒状とされ、一端部３２Ａがチャンバ部材２２の被連結部２２Ｂに連結され、他端部３２Ｂがピストン部材２４の被連結部２８に連結されている。ダイヤフラム３２は、ゴム膜により形成されている。ダイヤフラム３２は、内圧が充填されていない状態では、図１に示すように、中間部分にピストン部材２４側が小径となるテーパー部３４が構成されている。ダイヤフラム３２の他端部３２Ｂは、テーパー部３４の小径側と略同径とされている。ダイヤフラム３２は、他端部３２Ｂ側がダイヤフラム３２の筒内へ入るように折り返されており、内周面と外周面とが内外反転されている。なお、ダイヤフラム３２は、ゴム膜にナイロン等の補強材を含んで構成することにより、耐久性を向上させることができる。
【００２７】
ダイヤフラム３２の他端部３２Ｂは、被連結部２８の外周を覆うように被連結部２８に外挿されている。他端部３２Ｂの外周側には、下側カシメリング２９が取り付けられている。下側カシメリング２９は、他端部３２Ｂを内周側へ締め付けて被連結部２８の外周面に全周に亘って圧接させ、他端部３２Ｂを被連結部２８に気密状態となるように連結固定している
【００２８】
外筒部材６０は、円筒状とされ、内径がダイヤフラム３２よりも大径とされている。外筒部材６０は、チャンバ部材２２と所定距離離間され、ダイヤフラム３２の外周側を覆うように配置されている。
【００２９】
ダイヤフラム３２は、チャンバ部材２２の下端と外筒部材６０の上端との間で、外筒部材６０から外側に露出されている（以下、この露出部分を「露出部３３」という）。この露出部３３を有することにより、外筒部材６０はチャンバ部材２２に対して揺動可能となっている。外筒部材６０は、チャンバ部材２２側の中間部６０Ａで筒の内壁がダイヤフラム３２の外周側に固定されている。ここでの固定は、環状リング６２をダイヤフラム３２の内側に配置し、外筒部材６０の外側から径方向内側へ加締めて環状リング６２と外筒部材６０の間にダイヤフラム３２挟み込んで固定している。外筒部材６０は、金属製とされており、ダイヤフラム３２の径方向外側への拡張を防止する。また、外筒部材６０により、ダイヤフラム３２の経時変化を抑制することができる。さらに、ダイヤフラム３２と他部材との干渉を回避することができる。
【００３０】
ダイヤフラム３２の一端部３２Ａの外周には、図３にも示すように、固定リング６６が配置されている。固定リング６６は、筒状とされ、ダイヤフラム３２の外周面に沿って配置されている。固定リング６６は、ダイヤフラム３２の一端部３２Ａをチャンバ部材２２との間で挟持しつつ、チャンバ部材２２へ外側から加締め固定されている。ダイヤフラム３２の筒内には、略円柱状のチャンバ室４４が形成される。
【００３１】
固定リング６６の径方向外側には、抑え部材７２が取り付けられている。抑え部材７２は、円筒状とされ、チャンバ部材２２に外挿され、固定リング６６が内周面に圧入されている。抑え部材７２の外筒部材６０側の端面には、外筒部材６０と対向する抑え面７２Ａが構成されている。抑え面７２Ａは、固定リング６６の下面と並んで略面一となる位置に配置されている。抑え面７２Ａの外周端は、外筒部材６０の外周よりも径方向外側に配置されている。
【００３２】
図１及び図２に示されるように、チャンバ部材２２は、ピストン部材２４に対向する車体１５側の位置に固定されている。これにより、空気ばね１０は、サスペンションアーム１４と車体１５との間に介装される。チャンバ部材２２の頂板部には圧力配管４６の一端部が接続されている。圧力配管４６は、その他端部が車体１５側に搭載されたエアポンプ、アキュームレータ等の圧縮空気の供給源（図示省略）に接続されており、圧縮空気の供給源をチャンバ室４４内へ連通している。圧力空気の供給源は、圧力配管４６を通して車両の走行状況や積載荷重に応じた空気圧を有する圧縮空気をチャンバ室４４内へ供給する。
【００３３】
次に、上記のように構成された本実施形態に係る空気ばね１０の作用について説明する。
【００３４】
空気ばね１０は、車体１５とサスペンションアーム１４との間に介装されることにより、サスペンションアーム１４に対してチャンバ室４４内の空気圧に対応するばね反力を作用させる。そして、このばね反力により、路面側からサスペンションアーム１４に入力される荷重を支持する。すなわち、図４に示すように、路面側からの荷重によりサスペンションアーム１４が車体側（バウンド方向Ｘ）へ揺動すると、ピストン部材２４によりチャンバ室４４内の空気が圧縮されて空気圧が上昇し、この空気圧によりサスペンションアーム１４を介して路面側から入力する荷重が支持される。
【００３５】
このとき、ダイヤフラム３２の露出部３３は、径方向の外側に膨出し、サスペンションアーム１４の揺動により、固定リング６６と外筒部材６０の端部との間に挟み込まれる。この場合でも、膨出したダイヤフラム３２の露出部３３は、チャンバ部材２２側では、抑え面７２Ａ及び固定リング６６の下面に押し当てられるので、抑え面７２Ａが構成されていない場合と比較して、ダイヤフラム３２の摩耗を抑制することができる。
【００３６】
特に、抑え面７２Ａの外周端は、外筒部材６０よりも径方向外側に配置されているので、膨出されたダイヤフラム３２が抑え面７２Ａを乗り越えにくく、抑え部材７２の外側角部での摺接も抑制することができる。
【００３７】
なお、本実施形態では、抑え部材７２を固定リング６６の全周にわたって形成したが、サスペンションアーム１４の揺動方向（図１の左右方向）の両側のみに形成してもよい。
【００３８】
また、本実施形態では、固定リング６６を筒内に圧入することにより抑え部材７２を固定リング６６の外周に固定したが、他の方法により、抑え部材７２を固定してもよい。例えば、図５に示すように、チャンバ部材２２の外周にかしめ固定してもよい。また、図６に示すように、プレス加工により、底部７２Ｂ、筒部７２Ｃ、フランジ部７２Ｄの構成される抑え部材７２とし、フランジ部７２の外面側で抑え面７２Ａを構成すると共に、底部７２Ｂとチャンバ部材２２とを接着することにより、固定してもよい。
【００３９】
[第２実施形態]
次に、本発明の第２実施形態に係る空気ばねについて図面を参照して説明する。本実施形態では、第１実施形態と同様の部分については、同一の符号を付して図示し、その詳細な説明は省略する。
【００４０】
本実施形態の空気ばね７０は、外筒部材６０のチャンバ部材２２側の一端部に、受部材６８が固定されている。受部材６８は、外筒部材６０の内側に嵌め込まれる筒部６８Ａ、及び、筒部６８Ａのチャンバ部材２２側から径方向外側へ湾曲してフランジ形状とされた受面部６８Ｂを有している。受部材６８は、筒部６８Ａが外筒部材６６の筒内に嵌め込まれて固定されている。受面部６８Ｂのチャンバ部材２２に対向する面（以下「受面６８Ｃ」という）は、図７、８にも示すように、断面が緩やかな弧状とされている。受部材６８の受面部６８Ｂの外周端は、固定リング６６よりも径方向外側に配置されている。受部材６８は、筒部６８Ａの先端部を、外筒部材６０の後述する中間部６０Ａの段差部分に当接させて位置決めを行うことができる。
【００４１】
受部材６８の筒部６８Ａの外径は、外筒部材６０の内径とほぼ同径とされて、外筒部材６０内に圧入固定されている。受部材６８は、樹脂材料、例えばポリアセタール樹脂（ＰＯＭ）で構成することができる。
【００４２】
本実施形態によれば、ダイヤフラム３２の露出部３３が、チャンバ室４４の内圧の上昇、サスペンションアーム１４の揺動により外側に膨出しても、膨出したダイヤフラム３２の露出部３３の外筒部材６０側は、受部材６８の受面６８Ｃに押し当てられるので、受部材６８を有していない場合と比較して、外筒部材６０側についてもダイヤフラム３２の摩耗を抑制することができる。
【００４３】
特に、受面部６８Ｂの外周端は、固定リング６６よりも径方向外側に配置されているので、膨出されたダイヤフラム３２が受面部６８Ｂを乗り越えにくく、受面部６８Ｂの外側の角部での摺接も抑制することができる。
【００４４】
また、受部材６８を、摩擦係数の低い樹脂材料、例えばポリアセタール樹脂で構成することにより、ダイヤフラム３２の摩耗をより効果的に抑制することができる。
【００４５】
なお、本実施形態では、受部材６８の受面部６８Ｂを筒軸方向から径方向外側に緩やかに湾曲させたフランジ形状としたが、受面部の構成は他の形状とすることもできる。例えば、図９に示すように、径方向外側へ屈曲させたフランジ形状とした受面部６７としてもよい。この場合には、膨出するダイヤフラム３２の露出部３３は、フランジの上面に押し当てられる。
【００４６】
また、受部材６８の受面部６８Ｂは、図１０に示すように、径方向外側へ屈曲させたテーパー形状とした受面部６９としてもよい。この場合には、膨出するダイヤフラム３２の露出部３３は、テーパー面に押し当てられる。
【００４７】
また、受部材６８の受面部６８Ｂは、図１１に示すように、先端側をピストン部材２２と逆側に折り返した形状の受面部７１とすることもできる。
【００４８】
また、本実施形態では、受面部を外筒部材６０の全周にわたって形成したが、サスペンションアーム１４の揺動方向（図１の左右方向）の両側のみに受面部を形成してもよい。
【符号の説明】
【００４９】
１０  空気ばね
１４   サスペンションアーム
１５   車体
２２   チャンバ部材
２４   ピストン部材
３２   ダイヤフラム
３３   露出部
４４   チャンバ室
６０   外筒部材
６６   固定リング
７２   抑え部材
７２Ａ 抑え面
【図１】
2011080549.tif 000003
【図２】
2011080549.tif 000004
【図３】
2011080549.tif 000005
【図４】
2011080549.tif 000006
【図５】
2011080549.tif 000007
【図６】
2011080549.tif 000008
【図７】
2011080549.tif 000009
【図８】
2011080549.tif 000010
【図９】
2011080549.tif 000011
【図１０】
2011080549.tif 000012
【図１１】
2011080549.tif 000013